(57)【特許請求の範囲】
【請求項１】
取付面に固定される取付具と、取付具に係止され照明器具を吊り下げる吊り具とからなり、吊り具は、吊り下げ部材が取り付けられる照明器具取付片の両端部から上方へ突出し先端部に取付具に係止する係止部が形成された係止片を有し、取付具は、取付面へ当接する固定片の両端部から下方へ突出し吊り具の係止部がそれぞれ係合する係合部が形成された係合片を有する照明器具の取付装置であって、係止部の一方は外方へ向けて形成された係止爪であるとともに係止部の他方は外方へ向けて照明器具取付片と略平行に延設され固定ねじが螺合するねじ孔が形成された連結片であり、前記係合部の一方は係止爪が係合する係合孔であるとともに係合部の他方は連結片が載置されるように内方へ向けて固定片と略平行に延設され前記固定ねじが挿通される挿通部が形成された支持片であって、係止片の外側面からの係止爪の突出寸法を、取付具に吊り具が固定された状態における支持片が設けられた係合片の内側面と連結片の先端面との間の寸法よりも大きくしたことを特徴とする照明器具の取付装置。
【発明の詳細な説明】
【０００１】
【発明の属する技術分野】
本発明は、照明器具の取付装置に関するものである。
【０００２】
【従来の技術】
従来のこの種の照明器具の取付装置は、図１０に示すように略コ字形であって固定片１１’が天井などの取付面１に固定される取付具１０’と、取付具１０’の固定片の両端部から下方へ延設された係合片１２’，１３’に形成された係止孔１２ａ’，１３ａ’にそれぞれ係止爪２２ａ’，２３ａ’が係止される略コ字形の吊り具２０’とで構成される。ここに、吊り具２０’はパイプ３０により照明器具４０（図１１参照）を吊り下げている。また、取付具１０’と吊り具２０’とは固定ねじ５０’によって固定され、ボウル状のキャノピ７０（カバー）によって覆われている（図１１参照）。なお、キャノピ７０にはパイプ３０が挿通される挿通孔７１が穿孔されている。
【０００３】
【発明が解決しようとする課題】
ところで、上記従来構造の照明器具の取付装置では、吊り具２０’に形成される係止爪２２ａ’，２３ａ’が同じ向きに突設されているので、振動や衝撃などの外力により固定ねじ５０’がねじ孔２３ｂ’，１３ｂ’から抜けた場合、吊り具２０’に一方向（図１２中の矢印Ｂの向き）の力が加わっただけで係合孔１２ａ’，１３ａ’から係止爪２２ａ’，２３ａ’が抜けて吊り具２０’が取付具１０’から外れてしまう恐れがあり、吊り具２０’とともに照明器具４０が落下する危険があった。
【０００４】
本発明は上記事由に鑑みて為されたものであり、その目的は、振動や衝撃などの外力による照明器具の落下を防止できる照明器具の取付装置を提供することにある。
【０００５】
【課題を解決するための手段】
請求項１の発明は、上記目的を達成するために、取付面に固定される取付具と、取付具に係止され照明器具を吊り下げる吊り具とからなり、吊り具は、吊り下げ部材が取り付けられる照明器具取付片の両端部から上方へ突出し先端部に取付具に係止する係止部が形成された係止片を有し、取付具は、取付面へ当接する固定片の両端部から下方へ突出し吊り具の係止部がそれぞれ係合する係合部が形成された係合片を有する照明器具の取付装置であって、係止部の一方は外方へ向けて形成された係止爪であるとともに係止部の他方は外方へ向けて照明器具取付片と略平行に延設され固定ねじが螺合するねじ孔が形成された連結片であり、前記係合部の一方は係止爪が係合する係合孔であるとともに係合部の他方は連結片が載置されるように内方へ向けて固定片と略平行に延設され前記固定ねじが挿通される挿通部が形成された支持片であって、係止片の外側面からの係止爪の突出寸法を、取付具に吊り具が固定された状態における支持片が設けられた係合片の内側面と連結片の先端面との間の寸法よりも大きくしたことを特徴とするものであり、吊り具を取付具から取り外すには複数方向への力が必要なので、固定ねじがが外れた場合でも振動や衝撃などの外力によって吊り具が取付具から外れることがなくなるから、照明器具の落下を防止できる。
【０００６】
【発明の実施の形態】
本実施形態の照明器具の取付装置は、図１及び図２に示すように、天井などの取付面１に固定される取付具１０と、取付具１０に係止され照明器具４０を吊り下げる吊り具２０とで構成される。ここに、吊り具２０は、下端部が照明器具４０の上面側に連結されたパイプ３０により照明器具４０（従来例で説明した図１１参照）を吊り下げるようになっている。
【０００７】
取付具１０は、天井などの取付面１に当接して固定される固定片１１の両端部から下方へ係合片１２，１３が突設されている。ここに、一方の、係合片１２の先端部には、吊り具２０の係止爪２２ａが係止される矩形状の係合孔１２ａが穿孔されている。また、他方の係合片１３の先端部は、固定片１１と略平行に内方へ向けて延設されており、該延設された支持片１３ａの適宜位置には後述のねじ５０が挿通される孔１３ｂが穿孔されている。なお、固定片１１には、建物に設けられた植え込みボルト６０の先端が挿入される孔１１ａが穿孔されており、植え込みボルト６０の先端を孔１１ａに挿入してナット６１によって締めつけ固定される。
【０００８】
吊り具２０は、パイプ３０が取り付けられる照明器具取付片２１の両端部から上方へ係止片２２，２３が突設されている。ここに、一方の係止片２２の先端部には上記係合孔１２ａに係止する係止爪２２ａが外方へ斜め下方に突設されている。また、他方の係止片２３の先端部は、照明器具取付片２１と略平行に外方へ向けて延設されており、該延設された連結片２３ａには固定ねじ５０が螺合されるねじ孔２３ｂが形成されている。なお、パイプ３０は、図３に示すように、円筒状であって、上端部３０ａの近傍に細幅部３０ｂが形成されており、照明器具取付片２１から係止片２３に亙って形成された開口部２４に係止片２３の外側方からスライドさせて嵌めるようになっている。つまり、開口部２４の広幅部２４ａにパイプ３０の上端部３０ａを挿入するとともに開口部２４の細幅部にパイプ３０の細幅部３０ｂを挿入するようになっている。
【０００９】
以下、取付具１０への吊り具２０の取り付け方及び取り外し方を説明する。
本実施形態では、まず取付具１０の支持片１３ａ上に吊り具２０の連結片２３ａを載置し、その後、吊り具２０の係止爪２２ａを取付具１０の係合孔１２ａに挿通して係止爪２２ａを係合孔１２ａの周縁に係止する。その後、固定ねじ５０を支持片１３ａの孔１３ｂに挿通して吊り具２０のねじ孔２３ｂに螺合することにより吊り具２０が取付具１０に固定される。
【００１０】
ところで、本実施形態では、係止片２２の外側面からの係止爪２２ａの突出寸法（図１中のＨ1 ）と、取付具１０に吊り具２０が固定された状態における連結片２３ａの先端面と係合片１３の内側面との間の寸法（図１中のＨ2 ）との関係が、Ｈ1 ＞Ｈ2 となるように取付具１０及び吊り具２０の寸法が設定されている。このため、吊り具２０を取付具１０から取り外す場合には、まず固定ねじ５０を外し、その後、係止爪２２ａを係合孔１２ａに係止した状態で連結片２３ａを上方（図４中の矢印Ｃの向き）へ回転させた後に、係止爪２２ａを斜め上方へ移動して下方へ引き下げる（図４中の矢印Ｄの向き）必要がある。要するに、固定ねじ５０を取り外した後に、複数の操作により複数方向への力を加えることによりはじめて取付具１０と吊り具２０とが分離する。
【００１１】
しかして、本実施形態の照明器具の取付装置では、何らかの理由で固定ねじ５０が外れた場合でも、上記操作を行わない限り取付具１０から吊り具２０が外れないので、従来に比べて振動や衝撃などの外力による吊り具２０の外れを抑制でき、照明器具４０の落下の危険性が極めて低くなる。
また、取付具１０の係合片１２にばね性を持たせて図５に示すように撓み自在とすれば、脱着時に係合片１２を撓ませることができるから、前記寸法Ｈ2 を略零にしても取付具１０への吊り具２０の脱着が可能となり、前記寸法Ｈ2 を略零にすることによって連結片２３ａと支持片１３ａと重なる部分が多くなるから、吊り具２０が取付具１０から外れにくくなり、照明器具４０（図１１参照）の落下の危険性をさらに低減することができる。
【００１２】
また、上記実施形態では、取付具１０の支持片１３ａに固定ねじ５０が挿通される孔１３ｂを形成していたが、孔１３ｂを設ける替わりに図６に示すように固定ねじ５０を挿通する切欠部１３ｃ（挿通部）を形成してもよく、切欠部１３ｃを形成した場合には孔１３ｂの場合に比べて固定ねじ５０の取り付けが簡単になる。
【００１３】
なお、吊り具２０による照明器具４０の吊り下げ部材は上記パイプ３０に限定するものではなく、図７に示すように照明器具４０をワイヤ３４で吊り下げても良く、図８に示すようにチェーン３７で吊り下げてもよい。
また、図９に示すように、天井に設けた埋込ボックス７４に取付具１０と固定具２０とを収納するようにしてもよい。この場合には、埋込ボックス７４の内天井面７４ａに取付具１０の固定片１１の上面を当接させた状態で、天井裏より突設され埋込ボックス７４に挿通された支持部材たるボルト６０を固定片１１に穿孔された孔１１ａ（図２参照）に挿通してナット６１を締めつけることにより取付具１０を埋込ボックス７４に固定している。なお、図９中の２は天井材を示し、同図中の７２は上面開口したカバーを示し、カバー７２の底面にはパイプ３０を挿通する挿通孔７３が穿孔されている。
【００１４】
【発明の効果】
請求項１の発明は、取付面に固定される取付具と、取付具に係止され照明器具を吊り下げる吊り具とからなり、吊り具は、吊り下げ部材が取り付けられる照明器具取付片の両端部から上方へ突出し先端部に取付具に係止する係止部が形成された係止片を有し、取付具は、取付面へ当接する固定片の両端部から下方へ突出し吊り具の係止部がそれぞれ係合する係合部が形成された係合片を有する照明器具の取付装置であって、係止部の一方は外方へ向けて形成された係止爪であるとともに係止部の他方は外方へ向けて照明器具取付片と略平行に延設され固定ねじが螺合するねじ孔が形成された連結片であり、前記係合部の一方は係止爪が係合する係合孔であるとともに係合部の他方は連結片が載置されるように内方へ向けて固定片と略平行に延設され前記固定ねじが挿通される挿通部が形成された支持片であって、係止片の外側面からの係止爪の突出寸法を、取付具に吊り具が固定された状態における支持片が設けられた係合片の内側面と連結片の先端面との間の寸法よりも大きくしたので、吊り具を取付具から取り外すには複数方向への力が必要となり、固定ねじがが外れた場合でも振動や衝撃などの外力によって吊り具が取付具から外れることがなくなるから、照明器具の落下を防止できるという効果がある。
【図面の簡単な説明】
【図１】実施形態を示す構成図である。
【図２】同上の分解斜視図である。
【図３】同上におけるパイプを示し、（ａ）は正面図、（ｂ）は側面図、（ｃ）は平面図、（ｄ）は下面図である。
【図４】同上における取付具からの吊り具の取り外し方の説明図である。
【図５】他の実施形態を示す説明図である。
【図６】また他の実施形態を示す分解斜視図である。
【図７】さらに他の実施形態を示す構成図である。
【図８】別の実施形態を示す構成図である。
【図９】さらに別の実施形態を示す構成図である。
【図１０】従来例を示す構成図である。
【図１１】同上を示し、照明器具を吊り下げた状態の説明図である。
【図１２】同上における取付具からの吊り具の取り外し方の説明図である。
【符号の説明】
１  取付面
１０  取付具
１２ａ  係合孔
１３ａ  支持片
１３ｂ  孔
２０  吊り具
２２ａ  係止爪
２３ａ  連結片
２３ｂ  ねじ孔
３０  パイプ
５０  固定ねじ
【図１】
0003845953.tif 000002
【図２】
0003845953.tif 000003
【図３】
0003845953.tif 000004
【図４】
0003845953.tif 000005
【図５】
0003845953.tif 000006
【図６】
0003845953.tif 000007
【図７】
0003845953.tif 000008
【図８】
0003845953.tif 000009
【図９】
0003845953.tif 000010
【図１０】
0003845953.tif 000011
【図１１】
0003845953.tif 000012
【図１２】
0003845953.tif 000013